(57)【要約】【課題】中空の扉にも確実に取付けることができる面付け錠を提供する。【解決手段】扉８０外面に沿って配設される外面側取付け座４０と、扉８０内面に沿って配設される内面側取付け座５０と、鍵が挿脱される鍵穴を具備する錠部２０と、略筒形状を具備し錠部２０が内部に収納されるハウジング３０とを備え、外面側取付け座４０にハウジング３０の前端部が支持されつつ、内面側取付け座５０にハウジング３０の後端部が支持される面付け錠１０に対して、ハウジング３０に長さ調整構造３３、３５を設ける。【選択図】　　　図１
2004092231.tif 000002
【特許請求の範囲】
【請求項１】
扉外面に沿って配設される外面側取付け座と、扉内面に沿って配設される内面側取付け座と、鍵が挿脱される鍵穴を具備する錠部と、略筒形状を具備し該錠部が内部に収納されるハウジングとを備え、該外面側取付け座に該ハウジングの前端部が支持されつつ、内面側取付け座に該ハウジングの後端部が支持される面付け錠において、
該ハウジングに長さ調整構造が設けられたことを特徴とする面付け錠。
【請求項２】
請求項１に記載の面付け錠において、
前記ハウジングが略筒形状を具備するハウジング本体と略筒形状を具備するアジャストスリーブとを備え、
前記長さ調整構造が、これらハウジング本体とアジャストスリーブのいずれか一方の外周面に設けられた雄ネジ部と、
これらハウジング本体とアジャストスリーブの他方の内周面に設けられた雌ネジ部とからなり、
該雄ネジ部と該雌ネジ部が螺合自在に形成されたことを特徴とする面付け錠。
【請求項３】
請求項２に記載の面付け錠において、
前記雄ネジ部に長手方向に延びる長孔と
前記雌ネジ部に調整ネジ孔を設け、
この調整ネジ孔に調整ネジを螺合し、該調整ネジ孔から突出した該調整ネジの先端が該長孔と係合することを特徴とする面付け錠。
【請求項４】
請求項３に記載の面付け錠において、
前記調整ネジ孔と前記長孔のいずれか一方を周方向に対し等角度で複数箇所に配設し、
前記アジャストスリーブの後端面に該アジャストスリーブに設けられた前記雄ねじ部、または前記雌ねじ部の中心軸に対し等角度に前記複数箇所と同数の組付けネジ孔を設け、
前記内面側取付け座に組付けネジ挿通孔を前記複数箇所と同数設け、
該組付けネジ孔と該組付けネジ挿通孔とを設置ネジで固定したことを特徴とする面付け錠。
【請求項５】
請求項４に記載の面付け錠において、
前記調整ネジ孔と前記長孔の他方を周方向に対し等角度で前記複数箇所と同数配設し、
該調整ネジ孔と該長孔をそれぞれ前記調整ネジで固定したことを特徴とする面付け錠。
【発明の詳細な説明】
【０００１】
【発明の属する技術分野】
本発明は、扉表面に沿って固定され、扉の施錠・解錠を行う面付け錠に関する。
【０００２】
【従来の技術】
従来より、この種の面付け錠は、扉の外面と内面と挟持することで扉に固定されるため、扉の隙間から錠の構成物が露出しないことから、外部から錠に直接不正行為をはたらくことができないため防犯性の高く、住戸用扉の錠として多用されている。
【０００３】
たとえば、特開２００２−１６８０１１号公報に開示されている面付け錠は、図４に示されるように、厚みの異なる扉Ｄに対して、ネジ２の締め上げ程度がその扉の厚みの差に対応できるので、シリンダ錠３の端部が面板４の被覆筒５内のどの位置に来るかという程度の差はあっても、さまざまな扉厚みに対応することができる物である。
【０００４】
【発明が解決しようとする課題】
しかしながら、上記従来の面付け錠１では、図４に示されるような中実の扉Ｄに取付ける場合には問題ないが、扉の外面と内面とが別々の板材で構成された中空扉に取付ける際に、ネジ２を締め上げすぎた場合には、板材が撓み、面付け錠１の作動調整が必要となるとともに、板材が撓むことによって面付け錠との間に隙間が生じ防犯性能が低下する可能性があった。また、逆にネジ２の締め上げが足りない場合には、扉を開閉する際の振動によってネジ２が緩み、ガタが生じて防犯性能が低下する可能性があった。
【０００５】
そこで、本発明は、中空の扉にも確実に取付けることができる面付け錠を提供することを目的とする。
【０００６】
【課題を解決するための手段】
請求項１に記載の発明は、扉外面に沿って配設される外面側取付け座と、扉内面に沿って配設される内面側取付け座と、鍵が挿脱される鍵穴を具備する錠部と、略筒形状を具備し該錠部が内部に収納されるハウジングとを備え、該外面側取付け座に該ハウジングの前端部が支持されつつ、内面側取付け座に該ハウジングの後端部が支持される面付け錠において、該ハウジングに長さ調整構造が設けられたことを特徴とする。
【０００７】
請求項２に記載の発明は、請求項１に記載のシリンダ錠において、前記ハウジングが略筒形状を具備するハウジング本体と略筒形状を具備するアジャストスリーブとを備え、前記長さ調整構造が、これらハウジング本体とアジャストスリーブのいずれか一方の外周に設けられた雄ネジ部と、これらハウジング本体とアジャストスリーブの他方の内周に設けられた雌ネジ部とからなり、該雄ネジ部と該雌ネジ部が螺合自在に形成されたことを特徴とする。
【０００８】
請求項３に記載の発明は、請求項２に記載のシリンダ錠において、前記雄ネジ部に長手方向に延びる長孔と、前記雌ネジ部に調整ネジ孔を設け、この調整ネジ孔に調整ネジを螺合し、該調整ネジ孔から突出した該調整ネジの先端が該長孔と係合することを特徴とする。
【０００９】
請求項４に記載の発明は、請求項３に記載の面付け錠において、前記調整ネジ孔と前記長孔のいずれか一方を周方向に対し等角度で複数箇所に配設し、前記アジャストスリーブの後端面に該アジャストスリーブに設けられた前記雄ねじ部、または前記雌ねじ部の中心軸に対し等角度に前記複数箇所と同数の組付けネジ孔を設け、前記内面側取付け座に組付けネジ挿通孔を前記複数箇所と同数設け、該組付けネジ孔と該組付けネジ挿通孔とを設置ネジで固定したことを特徴とする。
【００１０】
請求項５に記載の発明は、請求項４に記載の面付け錠において、前記調整ネジ孔と前記長孔の他方を周方向に対し等角度で前記複数箇所と同数配設し、該調整ネジ孔と該長孔をそれぞれ前記調整ネジで固定したことを特徴とする。
【００１１】
【発明の実施の形態】
本発明の実施形態としての面付け錠について、図面を参照して詳細に説明する。図１は、面付け錠１０が扉８０に取付けられた状態を示す側面図、図２は、シリンダ錠機構２０の背面図、図３は、図２に示されるＡ−Ａ線に沿ったシリンダ錠機構２０の側方断面図である。
【００１２】
本実施形態の面付け錠１０は、図１に示されるように、中空の扉８０に設けられた取付け孔８１に設置される錠装置で、扉８０の外面側８２に沿って配設される外面側取付け座４０と、この外面側取付け座４０に設けられた支持孔４１に前端側が支持される錠部としてのシリンダ錠機構２０と、扉８０の内面側８３に沿って配設され、且つシリンダ錠機構２０が固定される内面側取付け座５０と、この内面側取付け座５０に固定され、且つ戸口（不図示）と係合するかんぬき７１を係合位置と解除位置に移動させるリンク機構を具備するリンク箱７０とから構成されている。
【００１３】
シリンダ錠機構２０は、鍵が挿脱される鍵穴を具備し、且つ略円柱形状に形成されたシリンダ本体２１と、略筒形状に形成され、筒内部にシリンダ本体２１を収納するハウジング３０とから構成されている。
【００１４】
シリンダ本体２１は、前面に設けられた鍵穴に鍵が挿入されると内部の係合が解除され、さらに、差込んだ鍵を回転させると後端に配設されたスピンドル２２が鍵とともに回転する構造になっている。
【００１５】
シリンダ本体２１が内部に収納されるハウジング３０は、略筒形状に形成されたハウジング本体３１とアジャストスリーブ３２とから構成されている。
【００１６】
ハウジング本体３１の後端側の内周面には雌ネジ部３３が形成され、さらにこの雌ネジ部３３には、調整ネジ孔３４が雌ネジ部３３の中心に対して等角度で４箇所に形成されている。
【００１７】
アジャストスリーブ３２の前端側の外周面には雄ネジ部３５が形成され、雄ネジ部３５の軸方向に延びる長孔３６が調整ネジ孔３４と同数箇所、つまり雄ネジ部３５の中心に対して等角度で４箇所に形成されている。さらに、アジャストスリーブ３２の後端には、組付けネジ孔３７が調整ネジ孔３４と同数箇所、つまり雄ネジ部３５の中心に対して等角度で４箇所に設けられている。そして、雄ネジ部３５と雌ネジ部３３とは、螺合自在に形成されている。
【００１８】
雌ネジ部３３と雄ネジ部３５からなる長さ調節構造は、雌ネジ部３３と雄ネジ部３５が螺合した長さによってハウジング３０を所定の長さに調整し、調整ネジ９０を調整ネジ孔３４に組付け、雌ネジ部３３の内周面から突出した調整ネジ９０の先端と長孔３６とを係合させることで雄ネジ部３５と雌ネジ部３３の回転止めを行う。
【００１９】
ローズ６０は、後端６１よりも前端６２が細く形成された先細の略筒形状を具備し、且つローズ６０の内部に形成された収納孔６３にシリンダ錠機構２０が隙間なく収納されている。そして、ローズ６０は、収納孔６３に形成された内周面係止突部６４とハウジング本体３１の前端側に設けられた外周面係止突部３８とが係合した状態で、シリンダ錠機構２０を外面側取付け座４０に支持している。
【００２０】
リンク箱７０は、収納箱７１の内部にスピンドル２２の先端部と係合するスピンドル受け部（不図示）と、戸口と係合するかんぬき７１と、扉８０の内面側８３からかんぬき７１を操作するサムターン７２と、これらスピンドル受け部とかんぬき７１を連係し、且つサムターン７２とかんぬき７１を連係するリンク機構（不図示）とが配設されている。
【００２１】
＜取付け＞
ハウジング本体３１にシリンダ錠機構２０を挿入し、ハウジング本体３１からシリンダ錠機構２０が脱落しないように固定する。
【００２２】
ローズ６０の収納孔６３にシリンダ錠機構２０を後端から挿入し、さらに、扉８０の外面側８２に外面側取付け座４０を支持し、外面側取付け座４０に設けられた支持孔４１にシリンダ錠機構２０を後端から挿入する。
【００２３】
ハウジング本体３１の雌ネジ部３３にアジャストスリーブ３２の雄ネジ部３５を螺合する。ここで、扉８０の厚さを確認しながらハウジング３０が所定の長さになるまで雌ネジ部３３に雄ネジ部３５をねじ込みんだ後で、調整ネジ９０を調整ネジ孔３４にねじ込み、調整ネジ９０の先端と長孔３６とを係合させることでハウジング３０を所定の長さに固定する。
【００２４】
鍵穴が所定の向きに位置しているかを確認し、内面側取付け座５０を扉８０の内面側８３に支持する。
【００２５】
内面側取付け座５０に設けられた組付けネジ挿通孔５１に組付けネジ９１を挿入し、アジャストスリーブ３２の後端面に設けられた組付けネジ孔３７に組付けネジ９１をねじ込んでアジャストスリーブ３２と内面側取付け座５０とを固定する。これにより、シリンダ錠機構２０を固定しつつ、内面側取付け座５０と外面側取付け座４０との間に扉８０を狭持する。
【００２６】
次に、内面側取付け座５０にリンク箱７０を取付ける。ここで、取付けネジ９２をリンク箱７０に設けられたリンク箱取付け孔７３に挿入し、さらに内面側取付け座５０に設けられた取付けネジ挿通孔５２に取付けネジ９２を挿入し、外面側取付け座４０の扉８０内部に向かって突設された取付け雌ネジ部４２に取付けネジ９２をねじ込む。
【００２７】
以上の構成により、長さ調整構造を構成する雄ネジ部３５と雌ネジ部３３を螺合することでハウジング３０の長さを調整することにより、扉８０内部の中空部分がハウジング３０によって支えられるので、中空の扉８０の板材を撓ませることなく、確実に面付け錠１０を扉８０に取付けることができる。
【００２８】
調整ネジ９０と長孔３６との係合によってハウジング３０の長さが固定されることで、面付け錠１０を扉８０に取付ける際にハウジング３０の長さが変化することが防止されるので、組付け作業性を向上することができる。
【００２９】
雌ネジ部３３と雄ネジ部３５のそれぞれに等角度に配設された４箇所の調整ネジ孔３４と４箇所の長孔３６と同数、且つ等角度でアジャストスリーブ３２の後端に設けられた組付けネジ孔３７と、組付けネジ挿通孔５１でアジャストスリーブ３２を固定することにより、鍵穴の向きを一定にして面付け錠１０を扉８０に取付けることができるので、鍵の操作性が低下することなく面付け錠１０を扉８０に締結することができる。
【００３０】
複数箇所で調整ネジ孔３４と長孔３６とを螺合することが可能なことから、さまざまな扉８０の位置に対して、面付け錠１０を仮止めした状態で調整ネジ孔３４と長孔３６とを固定することが可能になり取付け作業性を向上することができる。
【００３１】
【発明の効果】
請求項１に記載の本発明によれば、ハウジングに長さ調整構造が設けられたことにより、扉内部の中空部分がハウジングによって支えることができるので、中空扉の板材を撓ませることなく、確実に面付け錠を扉に取付けることができる。
【００３２】
請求項２に記載の本発明によれば、雄ネジ部と雌ネジ部を螺合することでハウジングの長さを調整することにより、扉内部の中空部分がハウジングによって支えられるので、中空扉の板材を撓ませることなく、確実に面付け錠を扉に取付けることができる。
【００３３】
請求項３に記載の本発明によれば、請求項２の効果に加え、調整ネジと長孔との係合によってハウジング長さが固定されることで、面付け錠を扉に取付ける作業中にハウジング長さが変化することが防止されるので、組付け作業性を向上することができる。
【００３４】
請求項４に記載の本発明によれば、請求項３の効果に加え、複数箇所に配設された調整ネジ孔または長孔と同数、且つ等角度で設けられた組付けネジ孔と組付けネジ孔でアジャストスリーブを固定することにより、鍵穴の向きを一定にして面付け錠を扉に取付けることができるので、鍵の操作性が低下することなく面付け錠を扉に締結することができる。
【００３５】
請求項５に記載の本発明によれば、請求項４の効果に加え、複数箇所で調整ネジ孔と長孔とを螺合することが可能なことから、さまざまな扉の位置に対して、面付け錠を仮止めした状態で調整ネジ孔と長孔とを固定することが可能になり取付け作業性を向上することができる。
【図面の簡単な説明】
【図１】本実施形態の面付け錠が扉に取付けられた状態を示す側方断面図である。
【図２】本実施形態のシリンダ錠機構の背面図である。
【図３】図２に示されるＡ−Ａ線に沿ったシリンダ錠機構の側方断面図である。
【図４】従来例を示す側方断面図である。
【符号の説明】
１０…錠
２０…シリンダ錠機構（錠部）
３０…ハウジング
３１…ハウジング本体
３２…アジャストスリーブ
３３…雌ネジ部（長さ調整構造）
３４…調整ネジ孔
３５…雄ネジ部（長さ調整構造）
３６…長孔
３７…組付けネジ孔
４０…外面側取付け座
４１…支持孔
４２…雌ネジ部
５０…内面側取付け座
８０…扉
９０…調整ネジ
【図１】
2004092231.tif 000003
【図２】
2004092231.tif 000004
【図３】
2004092231.tif 000005
【図４】
2004092231.tif 000006